(57)【特許請求の範囲】
【請求項１】
永久磁石が軸心方向に配列された固定子及び、該固定子に対して移動子を、前記軸心方向に、前記固定子と該移動子との間に作用する磁気の相互作用により移動駆動自在に設けたリニアモータにおいて、
前記固定子は、複数の永久磁石片を環状に配列することにより形成された磁石列を有し、
前記磁石列は前記軸心方向に所定のピッチで複数列配列され、
前記各磁石列を構成する永久磁石片は、複数の永久磁石片からなる複数の磁石グループに分かれており、
前記各磁石グループを構成する各永久磁石片は、所定のピッチで前記軸心方向にずれた形で配置されており、
前記各磁石列を構成する複数の磁石グループは、前記軸心を中心に対称に配置され、
更に、前記互いに対称に配置された各磁石グループを構成するそれぞれの永久磁石片は、前記各磁石グループ間において、前記軸心を中心に、かつ該軸心に沿った方向においても互いに対向する形で対称に配置されていることを特徴とする、
リニアモータ。
【請求項２】
前記永久磁石片は、前記固定子の内外方向に磁化されていることを特徴とする、請求項１記載のリニアモータ。
【請求項３】
周方向に環状に配列された前記永久磁石片間に、該永久磁石片の固定部材が設けられていることを特徴とする、請求項１記載のリニアモータ。
【請求項４】
前記固定部材は、前記永久磁石片の両側面を挟み込む形で設けられていることを特徴とする、請求項３記載のリニアモータ。
【請求項５】
前記固定部材は、その断面の幅が、前記軸心方向に向けて徐々に狭まった形に形成されていることを特徴とする、請求項４記載のリニアモータ。
【請求項６】
前記磁石列は、互いに隣接する磁石列の外周面における極性が、互いに反対になるように配置されていることを特徴とする、請求項２記載のリニアモータ。
【請求項７】
前記固定子は棒状の本体を有しており、
前記本体の外周部に前記磁石列を設けて構成した、請求項１記載のリニアモータ。
【発明の詳細な説明】
【０００１】
【発明の属する技術分野】
本発明は、永久磁石を筒状に配列した、筒状の固定子を有するリニアモータに関する。
【０００２】
【従来の技術】
従来、この種のリニアモータの固定子としては、円筒形に形成された永久磁石を、円筒の軸心方向に磁化させ、その極性が、移動子の移動方向にＮ−Ｓ−Ｓ−Ｎ−Ｎ−Ｓ……と、互いに同極性同士が固定子の配列方向において対向する形で直列に配列したものが知られている。
【０００３】
【発明が解決しようとする課題】
この構造は、固定子の組立に際して、永久磁石の同極性同士を対向させる必要があるために強力な反発力が永久磁石に作用し、固定子の円滑な組立が困難になる不都合がある。こうした反発力に抗して固定子を組み立てるために、直列に配列された永久磁石内にロッドを固定子の軸心方向に貫通させ、該ロッドの両側にフランジを設けて、該フランジにより直列に配列された永久磁石を両側から押さえ込んで固定する構造も提案されているが、固定子の構造が複雑化、重量化することは避けられない。
【０００４】
本発明は上記事情に鑑み、固定子の組立に際して、磁力の作用を緩和させた形で行うことの出来る、リニアモータを提供することを目的とするものである。
【０００５】
【課題を解決するための手段】
請求項１の発明は、永久磁石が軸心方向に配列された固定子（２）及び、該固定子に対して移動子（３）を、前記軸心（ＣＬ１）方向（矢印Ａ、Ｂ方向）に、前記固定子と該移動子との間に作用する磁気の相互作用により移動駆動自在に設けたリニアモータ（１）において、
前記固定子は、複数の永久磁石片（９）を環状に配列する（本明細書で、「環状に配列する」とは、各永久磁石片９を固定子２の軸心ＣＬ１の周囲を囲む形で配列することを意味し、「各永久磁石片９を全体が円環状となるように配列する」ばかりでなく、「各永久磁石片９を全体が多角形を形成する形で環状に配列する」状態や、「各永久磁石片９を全体が楕円形状を形成する形で環状に配列する」などの態様も含まれる）ことにより形成された磁石列（Ｌ１、Ｌ２、Ｌ３、……）を有し、
前記磁石列は前記軸心方向に所定のピッチ（Ｐ２）で複数列配列され、
前記各磁石列（Ｌ１、Ｌ２、Ｌ３、……）を構成する永久磁石片（９）は、複数の永久磁石片からなる複数の磁石グループ（例えば、第１の磁石装着部グループと第２の磁石装着部グループなど）に分かれており、
前記各磁石グループを構成する各永久磁石片（例えば、第１磁石装着部グループを構成する３カ所の磁石装着面５ｃＡ、５ｃＢ、５ｃＣにそれぞれ装着されている永久磁石片９と、第２の磁石装着部グループを構成する、３カ所の磁石装着面５ｃＤ、５ｃＥ、５ｃＦにそれぞれ装着されている永久磁石片９）は、所定のピッチ（Ｐ１）で前記軸心（ＣＬ１）方向（矢印Ａ、Ｂ方向）にずれた形で配置されており、
前記各磁石列を構成する複数の磁石グループは、前記軸心を中心に対称に配置され、
更に、前記互いに対称に配置された各磁石グループを構成するそれぞれの永久磁石片は、前記各磁石グループ間において、前記軸心を中心に、かつ該軸心に沿った方向においても互いに対向する形で対称に配置されていることを特徴として構成される。
【０００６】
請求項２の発明は、前記永久磁石片は、前記固定子の内外方向（例えば、図５の矢印ＤＲ方向）に磁化されていることを特徴として構成される。
【０００７】
請求項３の発明は、周方向に環状に配列された前記永久磁石片間に、該永久磁石片の固定部材（１３）が設けられていることを特徴として構成される。
【０００８】
請求項４の発明は、請求項３記載のリニアモータにおいて、前記固定部材は、前記永久磁石片の両側面（９ｃ、９ｃ）を挟み込む形で設けられていることを特徴として構成される。
【０００９】
請求項５の発明は、請求項４記載のリニアモータにおいて、前記固定部材（１３）は、その断面の幅（Ｗ１）が、前記軸心（ＣＬ１）方向に向けて徐々に狭まった形（例えば、扇形や楔形）に形成されていることを特徴として構成される。
【００１０】
請求項６の発明は、請求項２記載のリニアモータにおいて、前記磁石列（Ｌ１、Ｌ２、Ｌ３……）は、互いに隣接する磁石列の外周面における極性が、互いに反対になるように配置（例えば、Ｓ−Ｎ−Ｓ−Ｎ−Ｓ−Ｎ……）されていることを特徴として構成される。
【００１１】
請求項７の発明は、前記固定子（２）は棒状の本体（５）を有しており、
前記本体の外周部に前記磁石列（Ｌ１、Ｌ２、Ｌ３、……）を設けて構成される。
【００１２】
【発明の効果】
請求項１の発明によれば、磁石列（Ｌ１、Ｌ２、Ｌ３、……）を複数の永久磁石片（９）を環状に配列することから形成したので、各磁石列が複数の永久磁石片９から分割構成されることとなり、組立時に固定子２の軸心ＣＬ１方向に隣接する各永久磁石片９相互に作用する磁力をそれだけ小さくすることが出来、組み立て作業を容易に行うことが出来る。
【００１３】
請求項２の発明によれば、永久磁石片が、前記固定子の内外方向（例えば、図５の矢印ＤＲ方向）に磁化されているので、永久磁石片（９）の磁束は軸心ＣＬ１を中心に放射方向（図５矢印ＤＲ方向）に発生し、永久磁石片（９）の磁化の方向が固定子軸心ＣＬ１方向（矢印Ａ、Ｂ方向）の場合（磁束の方向は軸心方向）に比して、組立時に固定子２の軸心ＣＬ１方向に隣接する各永久磁石片９相互に作用する磁力の影響を更に小さくすることが出来る。
【００１４】
請求項３の発明によれば、固定部材（１３）により、永久磁石片（９）の保持が容易となる。
【００１５】
請求項４の発明によれば、永久磁石片（９）を該永久磁石片の両側面から挟み込む形で保持することが出来るので、確実な保持が可能となる。
【００１６】
請求項５の発明によれば、固定部材の楔作用を利用して、永久磁石片（９）を確実に保持することが出来る。
【００１７】
請求項６の発明によれば、互いに隣接する磁石列の外周面における極性は、互いに反対になるように配置（例えば、Ｓ−Ｎ−Ｓ−Ｎ−Ｓ−Ｎ……）されているので、隣接する磁石列間には、反発力が作用することが無く、固定子（２）の組立を容易に行うことが出来る。
【００１８】
請求項７の発明によれば、本体（５）を心材として利用した形で永久磁石片（９）の組立が可能となり、組み立て作業を容易に行うことが出来るばかりか、精度の高い組立が可能となる。
【００１９】
なお、括弧内の番号等は、図面における対応する要素を示す便宜的なものであり、従って、本記述は図面上の記載に限定拘束されるものではない。
【００２０】
【発明の実施の形態】
以下、本発明の実施例を図面に基づき説明する。
【００２１】
図１は本発明が適用されるリニアモータの一例を示す正断面図、図２は、図１の側断面図、図３は図１のリニアモータの固定子を示す斜視図、図４は、図３の固定子の分解斜視図、図５は図３の固定子の本体部分を示す斜視図、図６は固定子の別の例を示す部分斜視図、図７は、図６の固定子の本体部分を示す斜視図、図８は本発明が適用されるリニアモータの別の例を示す正断面図、図９は、固定子の本体部分周辺における６カ所の磁石装着部の配置態様を示す図である。
【００２２】
リニアモータ１は、図１及び図２に示すように、全体が細長い円筒状に形成された固定２及び該固定子２上を固定子２の軸心ＣＬ１方向に移動駆動自在に設けられた移動子３を有しており、固定子２は、全体が細長い円筒状に形成された本体部分５を有している。本体部分５は、図５に示すように、内部に中空部６が本体部分５の、従って、固定子２の軸心ＣＬ１方向に貫通穿設されており、本体部分５の両側には、キャップ７、７が中空部６を閉塞する形で固着されている。
【００２３】
本体部分５は、外周部に磁石装着部５ａが形成されており、磁石装着部５ａには、軸心ＣＬ１方向に所定の間隔Ｌ１でスペーサ部５ｂが帯状に複数形成されている。軸心ＣＬ１方向に互いに隣接するスペーサ部５ｂ、５ｂ間には、磁石装着面５ｃが、６０゜ピッチで軸心ＣＬ１回りに６カ所、円筒形の本体部分５をその外周表面５ｄ、従って、スペーサ部５ｂ表面から軸心ＣＬ１方向に所定深さＤ１だけ切り込む形でそれぞれ形成されており、同一のスペーサ５ｂに隣接する前述の６カ所の磁石装着面５ｃＡ、５ｃＢ、５ｃＣ、５ｃＤ、５ｃＥ、５ｃＦ（図５の図中上部の磁石装着面５ｃＡから時計回りに順次、５ｃＢ、５ｃＣ、５ｃＤ、５ｃＥ、５ｃＦと表記するが、各磁石装着面を区別する必要がない場合には、単に磁石装着面５ｃと表記する）は、図９（Ａ）〜（Ｆ）に示すように、周方向に互いに隣接する磁石装着面５ｃが、互いに位相が軸心ＣＬ１方向（矢印Ａ、Ｂ方向）にピッチＰ１だけずれた形で配置されている。
【００２４】
また、各磁石装着面５ｃは軸心ＣＬ１方向においては軸心ＣＬ１に沿って一列に配列形成されており、本体部分５には、そうした一列に配列された磁石装着面５ｃが６列、軸心ＣＬ１を中心に６０°ピッチで配列形成されている。
【００２５】
６カ所の磁石装着面５ｃの内、磁石装着面５ｃＡから図５の時計方向に隣接する、第１の磁石装着部グループとしての３カ所の磁石装着面５ｃＡ、５ｃＢ、５ｃＣと、第２の磁石装着部グループとしての、残りの３カ所の磁石装着面５ｃＤ、５ｃＥ、５ｃＦは、軸心ＣＬ１を中心に、該軸心ＣＬ１に直交する面上において対称に配置されており、第１の磁石装着部グループの各磁石装着面５ｃＡ、５ｃＢ、５ｃＣは、図９（Ａ）〜（Ｃ）に示すように、互いにピッチＰ１づつ軸心ＣＬ１方向にその位相がずれた形で配置形成されている。
【００２６】
また、第２の磁石装着部グループである磁石装着面５ｃＤ、５ｃＥ、５ｃＦも、同様に、図９（Ｄ）〜（Ｆ）に示すように、互いにピッチＰ１づつ軸心ＣＬ１方向にその位相がずれた形で配置形成されており、各グループで軸心ＣＬ１を中心に互い対向する位置に配置された磁石装着面５ｃＡと５ｃＤ、５ｃＢと５ｃＥ、５ｃＣと５ｃＦは、その軸心ＣＬ１方向における位置が一致した位置に配置されている。即ち、第１の磁石装着部グループとしての３カ所の磁石装着面５ｃＡ、５ｃＢ、５ｃＣと、第２の磁石装着部グループとしての、残りの３カ所の磁石装着面５ｃＤ、５ｃＥ、５ｃＦは、軸心ＣＬ１を中心に、該軸心ＣＬ１に沿った方向においても対称に配置されている。
【００２７】
各磁石装着面５ｃには、図５に示すように、軸心ＣＬ１方向の幅がＬ１に形成された永久磁石片９が、軸心ＣＬ１方向にピッチＰ２をなす形で一列に接着配置されており、本体部分５の磁石装着面５ｃには、合計６列の永久磁石片９が軸心ＣＬ１に沿って矢印Ａ、Ｂ方向に配列されている。各永久磁石片９は、平面状に形成され、磁石装着面５ｃに対向する形で接着される装着面９ａと、その反対側に軸心ＣＬ１を中心にした円筒の一部を形成する形で曲面状に形成された外周面９ｂを有している。永久磁石片９は、当該永久磁石片９を磁石装着面５ｃに装着した際に、軸心ＣＬ１を中心にした放射方向又は、固定子２の内外方向（前述の放射方向も含む）、即ち、図５の矢印ＤＲ方向にＮ極とＳ極が配置されるように磁化されており、これにより、各永久磁石片９は、装着面９ａと外周面９ｂが互いに異なる極性である、Ｎ極又はＳ極に磁化されている。
【００２８】
本体部分５の軸心ＣＬ１に沿った、各スペーサ部５ｂで区切られた６個の磁石装着面５ｃＡ、５ｃＢ、５ｃＣ、５ｃＤ、５ｃＥ、５ｃＦにそれぞれ配置された６個の永久磁石片９から構成される、円環状の磁石列Ｌ１、Ｌ２……Ｌｎ（ｎ＝１、２、…）の、外周面９ｂにおける極性は、図９に示すように、全て同一となるように配置されており、また互いに軸心ＣＬ１方向にスペーサ部５ｂを介して隣接する磁石列Ｌ１、Ｌ２……Ｌｎ（ｎ＝１、２、…）の外周面９ｂにおける極性は、互いに反対となるように配置されている。
【００２９】
これにより、例えば、図９の場合、図中最左方の磁石列Ｌ１の各永久磁石片９の外周面９ｂにおける極性は全てＮ極であり、該磁石列Ｌ１の図中右方に隣接する磁石列Ｌ２の各永久磁石片９の外周面９ｂにおけ極性は全てＳ極であり、更に該磁石列Ｌ２の図中右方に隣接する磁石列Ｌ３の各永久磁石片９の外周面９ｂにおけ極性は全てＮ極となるように配置されている。従って、固定子は、軸心ＣＬ１に沿って、その表面極性が、Ｎ−Ｓ−Ｎ−Ｓ−……となるように各磁石列Ｌ１、Ｌ２、Ｌ３……がピッチＰ２で軸心ＣＬ１方向、即ち矢印Ａ、Ｂ方向に配置されている。
【００３０】
また、本体部分５の周囲の磁石装着面５ｃのそれぞれに配置された永久磁石片９、９の間のスペーサ部５ｂには、図４に示すように、各永久磁石片９の外周面９ｂと同一の曲率でその円弧形状の外周面１１ａが形成されたスペーサ１１がそれぞれ接着配置されており、それら軸心ＣＬ１方向に一列に配列された多数の永久磁石片９とスペーサ１１の側面９ｃ、１１ｂは、互いに隣接する列間で、図４に示すように、互いに対向して楔状の固定溝１２を形成している。固定溝１２は、軸心ＣＬ１方向に６本、平行に形成されており、該固定溝１２の軸心ＣＬ１に直角な断面は、軸心ＣＬ１方向に向けてその幅Ｗ１が徐々に狭まった形で形成されている。
【００３１】
各固定溝１２には、固定バー１３が、ネジなどを介して固着されており、固定バー１３は、その断面が固定溝１２の断面と整合する形でその幅Ｗ１が軸心ＣＬ１方向に徐々に狭まった扇形に形成されている。固定バー１３は、その全長Ｌ１が本体部分５の全長と等しく形成されており、固定バー１３を固定溝１２に装着固定した場合に、固定子２の本体部分５の全長と一致するように構成されている。
【００３２】
また、各固定バー１３は。固定溝１２に装着されると、その側面１３ａ，１３ａが固定溝１２の側面１２ａ，１２ａと密着して各永久磁石片９を両側から挟み込み、その楔作用で各固定バー１３、１３間に配置された永久磁石片９とスペーサ１１の、軸心ＣＬ１を中心とした放射方向への浮き上がりを確実に防止することが出来る。
【００３３】
各固定溝１２に固定バー１３がぞれぞれ装着固定されると、図３に示すように、固定バー１３、スペーサ１１及び永久磁石片９の外周部が筒状に連続し、軸心ＣＬ１を中心として直径がＤ１の、円筒形の固定子２の外形を形成する。
【００３４】
一方、固定子２には、図１に示すように、固定子２の伸延方向である軸心ＣＬ１方向、即ち矢印Ａ、Ｂ方向に、図示しない適宜な支持手段を介して移動自在に支持された移動子３が、該移動子３に貫通穿設された固定子貫通穴３ａを介して嵌入係合しており、移動子３は工作機械のテーブルなど被駆動対象物１５に装着された形となっている。
【００３５】
移動子３は、図２に示すように、全体箱状に形成された本体１６を有しており、本体１６の外周部には、放熱フィン１６ａが多数形成されている。本体１６の内部には円筒状の電機子装着空間１６ｂが形成されており、電機子装着空間１６ｂには、電機子１７が、図１及び図２に示すように、固定子２の外周を取り囲み、かつ固定子２の軸心ＣＬ１方向に沿った形で、装着配置されている。電機子１７は、周囲にコイル２０の巻設された多数の鉄心１９が軸心ＣＬ１方向に、固定子２の磁石列Ｌ１、Ｌ２……の設置ピッチＰ２とは異なるピッチＰ３（Ｐ３＜Ｐ２）で本体１６にその基端部を接続した形で配置されており、また、鉄心１９は、軸心ＣＬ１に対して直角な面においては、図２に示すように、軸心ＣＬ１に対して放射状に６０゜ピッチで６個づつ設けられている。
【００３６】
リニアモータ１は、以上のような構成を有するので、リニアモータ１を駆動する場合には、移動子３の電機子１７を構成する各鉄心１９のコイル２０を、公知の手法で順次励磁し、その際に電機子１７と固定子２の間に作用する吸引力と反発力により、移動子３は固定子２の軸心ＣＬ１方向に移動駆動され、移動子３に固着された被駆動対象物１５も同方向に駆動される。
【００３７】
なお、各磁石列Ｌ１、Ｌ２、Ｌ３……の、第１の磁石装着部グループとしての３カ所の磁石装着面５ｃＡ、５ｃＢ、５ｃＣと、第２の磁石装着部グループとしての、残りの３カ所の磁石装着面５ｃＤ、５ｃＥ、５ｃＦは、軸心ＣＬ１を中心に、該軸心ＣＬ１に直交する面において対称に配置されており、更に、第１の磁石装着部グループとしての３カ所の磁石装着面５ｃＡ、５ｃＢ、５ｃＣと、第２の磁石装着部グループとしての、残りの３カ所の磁石装着面５ｃＤ、５ｃＥ、５ｃＦは、軸心ＣＬ１を中心に、該軸心ＣＬ１に沿った方向においても対称に配置されている。従って、３対の磁石装着面５ｃ、５ｃが軸心ＣＬ１を中心に互いに対向する形で配置されていることとなり、移動子３の電機子１７との間に作用する磁気吸引／反発力は、互いに固定子２の両側から圧縮又は引っ張りのどちらかの方向に作用する形となり、固定子２に曲げなどの有害な力が作用することが防止され、好都合である。
【００３８】
なお、こうした作用を発揮させるには、各磁石列Ｌ１、Ｌ２、Ｌ３……を構成する永久磁石片９が偶数個（本実施例の場合は６個）、軸心ＣＬ１を中心にして、その軸心方向である矢印Ａ、Ｂ方向のずれ（ピッチＰ１）も含めて対称に配置されている必要がある。
【００３９】
また、固定子２の組立に際しても、本体部分５の材料として磁性材料を用いることにより、各永久磁石片９を本体部分５の磁石装着面５ｃに吸着させる形で配置し、接着剤などで固定することが可能となり、極めて簡単に固定子２の組立が可能となる。また、各永久磁石片９の磁化方向が、永久磁石片９を固定子２に装着した際に、該固定子２の軸心ＣＬ１を中心にした放射方向にＮ−Ｓが位置するように、磁化されている、即ち、各永久磁石片９の装着面９ａと外周面９ｂ方向に磁化されているので、互いに軸心ＣＬ１方向に隣接する永久磁石片９の極性は、その外周面９ｂにおいてＳ−Ｎ−Ｓ−Ｎ−Ｓ−Ｎというように異なる極性の配列となり、反発力が相互に作用することが無く、組立が容易である。
【００４０】
更に、各磁石列Ｌ１、Ｌ２、Ｌ３……は、複数の永久磁石片９から構成されるので、各永久磁石片９の磁束の方向を、図５に示すように、装着面９ａに直角な方向ＤＲに整列させることが容易であり、磁束の方向に乱れのない均一な磁石列を形成することが出来る。
【００４１】
なお、固定子２の本体部分５としては、図５に示すような円筒の外周表面５ｄを削り込む形で磁石列Ｌ１、Ｌ２、Ｌ３、……を形成する代わりに、図７に示すように、６角形などの多角柱形状に本体部分５を形成して、６本（何本でもよい）の帯状の磁石装着面５ｃを形成し、ぞれぞれの磁石装着面５ｃに、図６に示すように、多数の永久磁石片９をスペーサ１１を介してＳ−Ｎ−Ｓ−Ｎ−Ｓ−Ｎのように配置装着して、同様に固定バー１３により、図３と同様に形成することも可能である。
【００４２】
また、固定子２の本体部分５は、必ずしも、一体的に形成されている必要はなく、軸心ＣＬ１方向や放射方向に分割形成されていても良い。更に、本体部分５は必ずしも必要ではなく、各永久磁石片９を環状に配列して磁石列を構成し、該磁石列を軸心ＣＬ１方向に配列することが出来る限り、各永久磁石片９相互を接着したり、樹脂で固めたりして、構成することも可能である。
【００４３】
更に、複数の永久磁石片９から構成される磁石列の磁化の方向は、必ずしも固定子の内外方向（例えば、図５の矢印ＤＲ方向）である必要はなく、固定子２の軸心ＣＬ１方向に磁化させる形でもよい。この場合、軸心ＣＬ１方向に隣接する各永久磁石片９相互間に反発力などの磁力が作用する場合もあるが、各磁石列は複数の永久磁石片９から分割構成されるので、個々の永久磁石片９に作用する反発力を小さくすることが出来、それだけ組立も容易となる。
【００４４】
更に、図８に示すように、各磁石列Ｌ１、Ｌ２、Ｌ３……を、それぞれ１個の円筒型に形成された環状永久磁石２１から形成し、該環状永久磁石２１の軸心ＣＬ１方向両側の接続面２１ｄ、２１ｄを、軸心ＣＬ１対して斜めに形成すると共に、互いに隣接する環状永久磁石２１、２１間に、同一の傾斜角度を有する接続面２２ａ、２２ａが形成されたスペーサ２２を配置して、全体筒状に形成された固定子２を形成することも可能である。この場合、各環状永久磁石２１は、移動子３の軸心ＣＬ１方向に対して斜めに配置された形となっている。また、この場合でも、各環状永久磁石２１の磁化の方向は、各環状永久磁石２１の内側、即ち軸心ＣＬ１側と、外側、即ち固定子外周側２ａを結ぶ放射方向又は内外方向に磁化されて、固定子２全体としては、固定子外周側２ａの表面極性がＳ−Ｎ−Ｓ−Ｎ−Ｓ−Ｎ−Ｓと成っている。
【００４５】
上述の実施例は、固定子を断面が略円形で、全体が筒状となるように形成したが、固定子の断面形状は円筒形に限らず、３角形、４角形、６角形、８角形などの多角形形状でも、更には楕円形状でもよい。固定子の断面形状を多角形状にした場合、永久磁石片９は、図５に示すように、移動子３の電機子１７と対向する外周面９ｂを円弧状に形成する必要が無く、永久磁石片９の加工が容易となる。この場合、各磁石列（Ｌ１、Ｌ２、Ｌ３、……）を構成する永久磁石片９は、固定子２の外形を形成する形で、多角形の環状に配列されることとなる。また、固定子は全体が、棒状で有れば、中空棒状でなくてもよく、中空部６を無くして中実棒状に形成することも可能である。
【図面の簡単な説明】
【図１】図１は本発明が適用されるリニアモータの一例を示す正断面図である。
【図２】図２は、図１の側断面図である。
【図３】図３は図１のリニアモータの固定子を示す斜視図である。
【図４】図４は、図３の固定子の分解斜視図である。
【図５】図５は図３の固定子の本体部分を示す斜視図である。
【図６】図６は固定子の別の例を示す部分斜視図である。
【図７】図７は、図６の固定子の本体部分を示す斜視図である。
【図８】図８は本発明が適用されるリニアモータの別の例を示す正断面図である。
【図９】図９は、固定子の本体部分周辺における６カ所の磁石装着部の配置態様を示す図である。
【符号の説明】１……リニアモータ２……固定子３……移動子５……本体（本体部分）
５ａ……磁石装着部
９……永久磁石片
９ｃ……側面
１３……固定部材（固定バー）
２１……環状永久磁石
Ｌ１、Ｌ２、Ｌ３……磁石列
Ｐ１……ずれ（ピッチ）
Ｐ２……ピッチ
Ｗ１……幅
ＣＬ１……軸心
【図１】
0003543148.tif 000002
【図２】
0003543148.tif 000003
【図３】
0003543148.tif 000004
【図４】
0003543148.tif 000005
【図５】
0003543148.tif 000006
【図６】
0003543148.tif 000007
【図７】
0003543148.tif 000008
【図８】
0003543148.tif 000009
【図９】
0003543148.tif 000010